(57)【要約】【課題】ポジ型かつショート読出しの系において動画撮影および静止画撮影の両方を行うことができる画像情報記録読取方法および装置等において、画質を向上させる。【解決手段】静止画撮影においては、固定ノイズの影響を受けない必要十分な電圧を印加し、連続的に放射線（記録光）を照射しなければならない動画撮影の場合には、放射線（記録光）の強度を高くすることができないため、静止画撮影の場合よりも高い電圧を印加することにより、静止画撮影および動画撮影のいずれの場合においても、良好な画質の画像を得ることができるようにする。【選択図】　　　　　図４
2004108879.tif 000002
【特許請求の範囲】
【請求項１】
記録光を潜像電荷に変換して蓄積する画像検出器を使用して、
前記画像検出器に動画記録用電圧を印加した状態で、画像情報を担持する記録光の前記画像検出器への照射と潜像電荷の読取りとを交互に繰り返して、潜像電荷の量に応じた電気信号を連続的に取得することにより動画像を得る動画撮影と、
前記画像検出器に静止画記録用電圧を印加した状態で、画像情報を担持する記録光の前記画像検出器への照射を行って、該画像情報を担持する潜像電荷を前記画像検出器に蓄積させ、次いで、潜像電荷の読取りを行って、潜像電荷の量に応じた電気信号を取得することにより静止画像を得る静止画撮影とを行う画像情報記録読取方法において、
前記動画記録用電圧を、前記静止画記録用電圧よりも高くすることを特徴とする画像情報記録読取方法。
【請求項２】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器を使用して、
前記第１電極層の電極と前記第２電極層の電極との間に動画記録用電圧を印加した状態で、画像情報を担持する記録光の前記記録用光導電層への照射と前記読取光の走査とを交互に繰り返して、前記蓄電部に蓄積された潜像電荷の量に応じた電気信号を連続的に取得することにより動画像を得る動画撮影と、
前記第１電極層の電極と前記第２電極層の電極とを同電位にした状態で、前記読取用光導電層に静止画用前露光光を照射する空読みを行い、該空読みを停止させた後、前記第１電極層の電極と前記第２電極層の電極との間に静止画記録用電圧を印加した状態で、画像情報を担持する記録光の前記記録用光導電層への照射を行って、該画像情報を担持する潜像電荷を前記蓄電部に蓄積させ、次いで、前記第１電極層の電極と前記第２電極層の電極とを同電位にした状態で、前記読取光による走査を行って、前記蓄電部に蓄積された潜像電荷の量に応じた電気信号を取得することにより静止画像を得る静止画撮影とを行う画像情報記録読取方法において、
前記動画記録用電圧を、前記静止画記録用電圧よりも高くすることを特徴とする画像情報記録読取方法。
【請求項３】
前記動画撮影と前記静止画撮影とで、異なる画素補正データにより画像補正を行うことを特徴とする請求項１または２記載の画像情報記録読取方法。
【請求項４】
前記動画撮影と前記静止画撮影とを交互に繰り返し行う場合に、前記静止画撮影により得られた電気信号に基づいて、前記動画像に対して前記静止画像の残像の影響を補正することを特徴とする請求項１または２記載の画像情報記録読取方法。
【請求項５】
前記動画撮影の継続時間に応じて、前記残像の補正の補正量を減少させることを特徴とする請求項４記載の画像情報記録読取方法。
【請求項６】
記録光を潜像電荷に変換して蓄積する画像検出器と、
前記画像検出器に所定の電圧を印加する電圧印加手段と、
画像情報を担持する記録光を前記画像検出器に照射する記録光照射手段と、
前記画像検出器から潜像電荷の量に応じた電気信号を取得する信号取得手段と、
前記画像検出器に動画記録用電圧を印加させた状態で、画像情報を担持する記録光の前記画像検出器への照射と潜像電荷の読取りとを交互に繰り返させて、潜像電荷の量に応じた電気信号を連続的に取得させることにより動画像を得る動画撮影、および、前記画像検出器に静止画記録用電圧を印加させた状態で、画像情報を担持する記録光の前記画像検出器への照射を行って、該画像情報を担持する潜像電荷を前記画像検出器に蓄積させ、次いで、潜像電荷の読取りを行わせて、潜像電荷の量に応じた電気信号を取得させることにより静止画像を得る静止画撮影を行わせるように、前記電圧印加手段、前記記録光照射手段、および前記信号取得手段を制御する制御手段とを備えた画像情報記録読取装置において、
前記制御手段が、前記動画記録用電圧を、前記静止画記録用電圧よりも高くするように前記電圧印加手段を制御するものであることを特徴とする画像情報記録読取装置。
【請求項７】
第１電極層、記録光の照射を受けることにより導電性を呈する記録用光導電層、読取光の照射を受けることにより導電性を呈する読取用光導電層、および第２電極層をこの順に有すると共に、前記記録用光導電層で発生した電荷を潜像電荷として蓄積する蓄電部が前記第１電極層と前記第２電極層との間に形成されて成る画像検出器と、
前記第１電極層の電極と前記第２電極層の電極との間に所定の電圧を印加する電圧印加手段と、
画像情報を担持する記録光を記録用光導電層に照射する記録光照射手段と、
前記読取光で前記読取用光導電層を走査する読取光走査手段と、
該走査により発生する前記蓄電部に蓄積された潜像電荷の量に応じた電気信号を取得する信号取得手段と、
前記第１電極層の電極と前記第２電極層の電極との間に動画記録用電圧を印加させた状態で、画像情報を担持する記録光の前記記録用光導電層への照射と前記読取光による前記走査とを交互に繰り返させて、前記蓄電部に蓄積された潜像電荷の量に応じた電気信号を連続的に取得させることにより動画像を得る動画撮影、および、前記第１電極層の電極と前記第２電極層の電極とを同電位にさせた状態で、前記読取用光導電層に静止画用前露光光を照射する空読みを行わせ、該空読みを停止させた後、前記第１電極層の電極と前記第２電極層の電極との間に静止画記録用電圧を印加させた状態で、画像情報を担持する記録光の前記記録用光導電層への照射を行って、該画像情報を担持する潜像電荷を前記蓄電部に蓄積させ、次いで、前記第１電極層の電極と前記第２電極層の電極とを同電位にさせた状態で、前記読取光による前記走査を行わせて、前記蓄電部に蓄積された潜像電荷の量に応じた電気信号を取得させることにより静止画像を得る静止画撮影を行わせるように、前記電圧印加手段、前記記録光照射手段、前記読取光走査手段、および前記信号取得手段を制御する制御手段とを備えた画像情報記録読取装置において、
前記制御手段が、前記動画記録用電圧を、前記静止画記録用電圧よりも高くするように前記電圧印加手段を制御するものであることを特徴とする画像情報記録読取装置。
【請求項８】
前記動画撮影と前記静止画撮影とで、異なる画素補正データにより画像補正を行う画像補正手段を備えたことを特徴とする請求項６または７記載の画像情報記録読取装置。
【請求項９】
前記動画撮影と前記静止画撮影とを交互に繰り返し行う場合に、前記静止画撮影により得られた電気信号に基づいて、前記動画像に対して前記静止画像の残像の影響を補正する残像補正手段を備えたことを特徴とする請求項６または７記載の画像情報記録読取装置。
【請求項１０】
前記残像補正手段が、前記動画撮影の継続時間に応じて、前記残像の補正の補正量を減少させることを特徴とする請求項９記載の画像情報記録読取装置。
【発明の詳細な説明】
【０００１】
【発明の属する技術分野】
本発明は、記録光を潜像電荷に変換して蓄積する画像検出器に、画像情報を担持する記録光を静電潜像として記録し、この記録した静電潜像を読み取る画像情報記録読取方法および装置に関するものである。
【０００２】
【従来の技術】
従来より、画像検出器を用いた装置、例えばファクシミリ、複写機あるいは放射線撮像装置等が知られている。
【０００３】
例えば、医療用Ｘ線撮影等において、被験者の受ける被爆線量の減少、診断性能の向上等のために、Ｘ線に感応する例えばａ−Ｓｅ（アモルファスセレン）から成るセレン板等の光導電体を有する画像検出器を使用し、この画像検出器に画像情報を担持するＸ線等の記録光を照射して、画像情報を担持する潜像電荷を画像検出器の蓄電部に蓄積させ、その後レーザビーム等の読取用の電磁波（以下、読取光という）で画像検出器を走査することにより該画像検出器内に生じる電流を該画像検出器両側の平板電極あるいはクシ電極を介して検出することにより、潜像電荷が担持する静電潜像、すなわち記録された画像情報を読み取るシステムが知られている。
【０００４】
ここで、画像検出器への画像情報の記録と、記録された画像情報を読み取るプロセスは、画像検出器の層構成によって異なるものである。例えば、両端の電極と、両電極間に配設された記録用光導電層および読取用光導電層とを有してなるものを使用する場合には、両端電極に記録用電圧が印加された状態で記録光を記録用光導電層に照射して、静電潜像を画像検出器の蓄電部に形成し、その後、画像検出器の両端電極を短絡して同電位にし、さらに、読取光に対して透過性を有する電極（以下読取光側電極という）を介して読取光で読取用光導電層を走査し、読取光側電極と読取用光導電層との界面で発生する電子とホールのペア（電荷対）による光誘起放電によって生じる電流を電圧信号に変換することにより、静電潜像の電気的読取りを行う。この場合、前記静電潜像の読取時、記録光の非照射部では電流が流れず、記録光強度が強い部分ほど大きな電流が流れる。なお、このように、記録後に画像検出器の両端電極を短絡した後に読取りを行う系をショート読出しの系といい、また、像の明部ほど大きな電流が流れる系をポジ型の系という。
【０００５】
このようなショート読出しの系かつポジ型の系に使用される画像検出器の具体的な層構成としては、例えば、第１導電体層（記録光側電極層；以下同様）／記録用光導電層／蓄電部としてのトラップ層／読取用光導電層／第２導電体層（読取光側電極層；以下同様）からなるもの（特許文献１等）がある。
【０００６】
また、本願出願人は、ポジ型の画像検出器として、記録用の放射線に対して透過性を有する第１導電体層、記録用の放射線の照射を受けることにより光導電性を呈する記録用光導電層、第１導電体層に帯電される電荷と同極性の電荷に対しては略絶縁体として作用し、かつ、該同極性の電荷と逆極性の電荷に対しては略導電体として作用する電荷輸送層、読取光の照射を受けることにより光導電性を呈する読取用光導電層、読取光に対して透過性を有する第２導電体層を、この順に積層して成り、記録用光導電層と電荷輸送層との界面に蓄電部が形成されるものを提案している（特許文献２、特許文献３等）。
【０００７】
【特許文献１】
米国特許第４５３５４６８号明細書
【０００８】
【特許文献２】
特開２０００−１０５２９７号公報
【０００９】
【特許文献３】
特開２０００−２８４０５６号公報
【００１０】
【特許文献４】
特開２００１−１１９６２６号公報
【００１１】
【特許文献５】
特開平１０−２８４７１３号公報
【００１２】
【発明が解決しようとする課題】
ここで、ショート読出しの系においては、両端電極をショートした直後には１ｓｅｃ程度の解放電流が持続する。この期間に静電潜像を読み取ると信号電流は解放電流に重畳されるため画質が劣化する。したがって、高画質な画像を得るには、両端電極をショートしてから１ｓｅｃ程度以上経過した後に読取りを行う必要があり、従来のショート読出しの系を、１ｓｅｃ内に複数フレームの画像を取得するという動画的な撮影に適用するのは難しく、結果として、その用途が静止画撮影に限定されてしまう。
【００１３】
一方で、静止画撮影に先立つ動画撮影によって、位置決めや撮影タイミングの確認、あるいは感度条件の確認を行って、最適な撮影条件を設定し、その直後に該条件の下で、静止画撮影を行いたいという要望がある。この場合には、画像検出器としては、動画撮影および静止画撮影共に同一のものであることが時間的切替ロスがないので望ましい。
【００１４】
しかしながら、前述のように、従来のショート読出しの系では、用途が静止画撮影に限定されるので、このような要望に答えることができない。
【００１５】
そのため、本願出願人は、上記特許文献４に記載されているように、ポジ型かつショート読出しの系においても、動画撮影を行うことができる画像情報記録読取方法および装置を提案している。
【００１６】
本発明は、上記特許文献４に記載の画像情報記録読取方法および装置等において、さらに画質を向上させることを目的とするものである。
【００１７】
【課題を解決するための手段】
本発明による第１の画像情報記録読取方法は、記録光を潜像電荷に変換して蓄積する画像検出器を使用して、画像検出器に動画記録用電圧を印加した状態で、画像情報を担持する記録光の画像検出器への照射と潜像電荷の読取りとを交互に繰り返して、潜像電荷の量に応じた電気信号を連続的に取得することにより動画像を得る動画撮影と、画像検出器に静止画記録用電圧を印加した状態で、画像情報を担持する記録光の画像検出器への照射を行って、画像情報を担持する潜像電荷を画像検出器に蓄積させ、次いで、潜像電荷の読取りを行って、潜像電荷の量に応じた電気信号を取得することにより静止画像を得る静止画撮影とを行う画像情報記録読取方法において、動画記録用電圧を、静止画記録用電圧よりも高くすることを特徴とするものである。
【００１８】
上記第１の画像情報記録読取方法において、「画像情報を担持する記録光の画像検出器への照射と潜像電荷の読取りとを交互に繰り返す」とは、記録光を画像検出器に連続パルス状に照射し、このパルス状の記録光に同期して、記録光の照射停止時に、潜像電荷の読取りを行うことだけでなく、記録光を画像検出器に連続状に照射し続けたままで、潜像電荷の読取りを複数画面分だけ繰り返し行うことも含むものとする。
【００１９】
また、本発明による第２の画像情報記録読取方法は、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器を使用して、第１電極層の電極と第２電極層の電極との間に動画記録用電圧を印加した状態で、画像情報を担持する記録光の記録用光導電層への照射と読取光の走査とを交互に繰り返して、蓄電部に蓄積された潜像電荷の量に応じた電気信号を連続的に取得することにより動画像を得る動画撮影と、第１電極層の電極と第２電極層の電極とを同電位にした状態で、読取用光導電層に静止画用前露光光を照射する空読みを行い、空読みを停止させた後、第１電極層の電極と第２電極層の電極との間に静止画記録用電圧を印加した状態で、画像情報を担持する記録光の記録用光導電層への照射を行って、画像情報を担持する潜像電荷を蓄電部に蓄積させ、次いで、第１電極層の電極と第２電極層の電極とを同電位にした状態で、読取光による走査を行って、蓄電部に蓄積された潜像電荷の量に応じた電気信号を取得することにより静止画像を得る静止画撮影とを行う画像情報記録読取方法において、動画記録用電圧を、静止画記録用電圧よりも高くすることを特徴とするものである。
【００２０】
上記第２の画像情報記録読取方法において、「画像情報を担持する記録光の記録用光導電層への照射と読取光による走査とを交互に繰り返す」とは、記録光を記録用光導電層に連続パルス状に照射し、このパルス状の記録光に同期して、記録光の照射停止時に、読取光で読取用光導電層を走査することだけでなく、記録光を記録用光導電層に連続状に照射し続けたままで、読取光で読取用光導電層を複数画面分だけ繰り返し走査することも含むものとする。
【００２１】
上記、第１および第２の画像情報記録読取方法において「記録光」は、画像検出器に照射することによって、画像検出器内に潜像電荷を発生させるものであればよく、具体的には、光、放射線もしくは放射線の励起により発生した光等である。
【００２２】
また、「読取光」は、画像検出器における電荷の移動を可能として、電気的に静電潜像を読み取ることを可能とするものであればよく、具体的には光や放射線等である。
【００２３】
上記、第１および第２の画像情報記録読取方法においては、記録光強度および記録時の画像検出器内の電界強度（印加電圧）と、撮影により得られる信号量とは、図３に示すグラフのような関係となる。このグラフが表すように、記録光の強度を高くする程、また、画像検出器に印加する電圧を高くする程、多くの信号量を得ることができるため、Ｓ／Ｎの良好な画像を得ることができる。しかしながら、記録光強度については、記録光として放射線を用いた場合には、人体への被爆の問題があるため、記録光強度をあまり高くすることができない。また、印加電圧については、印加電圧を高くするのに伴って、印加とショートとの切替わり時に、画像検出器内への電荷注入等が発生することにより画像欠陥が生じやすくなるというデメリットを生じる。
【００２４】
また、潜像電荷の読取時に画像検出器の両端の電極を短絡することにより電源ノイズの影響を受けなくすることができるが、動画撮影においては１０〜３０フレーム／秒の画像形成が必要であるため、時間的制約から読取時に上記の短絡を行うことができない。
【００２５】
そのため、本発明による画像情報記録読取方法は、静止画撮影においては、記録時に固定ノイズの影響を受けない必要十分な電圧を印加し、動画撮影においては、連続的に放射線（記録光）を照射しなければならないため放射線（記録光）の強度を高くすることができず、また、読取時に両電極間の短絡を行うこともできないため、記録時に静止画撮影の場合よりも高い電圧を印加することにより、静止画撮影および動画撮影のいずれの場合においても、好適に画像を得ることができるようにしたものである。
【００２６】
上記、第１および第２の画像情報記録読取方法において、画像検出器に印加する電圧を変えると、画像検出器内の印加電界強度が変化して画素バラツキが変化する。そのため、第１および第２の画像情報記録読取方法においては、動画撮影と静止画撮影とで、異なる画素補正データにより画像補正を行うことが好ましい。
【００２７】
また、一般に静止画撮影においては動画撮影よりも強い記録光を照射するため、画像検出器内に静止画像の残像が生じやすい。そのため、動画撮影と静止画撮影とを交互に繰り返し行う場合に、静止画撮影により得られた電気信号に基づいて、動画像に対して静止画像の残像の影響を補正することが好ましい。この場合は、残像は熱励起によって徐々に減少するため、動画撮影の継続時間に応じて、残像の補正の補正量を減少させることがより好ましい。
【００２８】
本発明による第１の画像情報記録読取装置は、上記第１の画像情報記録読取方法を実現する装置であり、記録光を潜像電荷に変換して蓄積する画像検出器と、画像検出器に所定の電圧を印加する電圧印加手段と、画像情報を担持する記録光を画像検出器に照射する記録光照射手段と、画像検出器から潜像電荷の量に応じた電気信号を取得する信号取得手段と、画像検出器に動画記録用電圧を印加させた状態で、画像情報を担持する記録光の画像検出器への照射と潜像電荷の読取りとを交互に繰り返させて、潜像電荷の量に応じた電気信号を連続的に取得させることにより動画像を得る動画撮影、および、画像検出器に静止画記録用電圧を印加させた状態で、画像情報を担持する記録光の画像検出器への照射を行って、画像情報を担持する潜像電荷を画像検出器に蓄積させ、次いで、潜像電荷の読取りを行わせて、潜像電荷の量に応じた電気信号を取得させることにより静止画像を得る静止画撮影を行わせるように、電圧印加手段、記録光照射手段、および信号取得手段を制御する制御手段とを備えた画像情報記録読取装置において、制御手段が、動画記録用電圧を、静止画記録用電圧よりも高くするように電圧印加手段を制御するものであることを特徴とするものである。
【００２９】
また、本発明による第２の画像情報記録読取装置は、上記第２の画像情報記録読取方法を実現する装置であり、第１電極層、記録光の照射を受けることにより導電性を呈する記録用光導電層、読取光の照射を受けることにより導電性を呈する読取用光導電層、および第２電極層をこの順に有すると共に、記録用光導電層で発生した電荷を潜像電荷として蓄積する蓄電部が第１電極層と第２電極層との間に形成されて成る画像検出器と、第１電極層の電極と第２電極層の電極との間に所定の電圧を印加する電圧印加手段と、画像情報を担持する記録光を記録用光導電層に照射する記録光照射手段と、読取光で読取用光導電層を走査する読取光走査手段と、この走査により発生する蓄電部に蓄積された潜像電荷の量に応じた電気信号を取得する信号取得手段と、第１電極層の電極と第２電極層の電極との間に動画記録用電圧を印加させた状態で、画像情報を担持する記録光の記録用光導電層への照射と読取光による走査とを交互に繰り返させて、蓄電部に蓄積された潜像電荷の量に応じた電気信号を連続的に取得させることにより動画像を得る動画撮影、および、第１電極層の電極と第２電極層の電極とを同電位にさせた状態で、読取用光導電層に静止画用前露光光を照射する空読みを行わせ、空読みを停止させた後、第１電極層の電極と第２電極層の電極との間に静止画記録用電圧を印加させた状態で、画像情報を担持する記録光の記録用光導電層への照射を行って、画像情報を担持する潜像電荷を蓄電部に蓄積させ、次いで、第１電極層の電極と第２電極層の電極とを同電位にさせた状態で、読取光による走査を行わせて、蓄電部に蓄積された潜像電荷の量に応じた電気信号を取得させることにより静止画像を得る静止画撮影を行わせるように、電圧印加手段、記録光照射手段、読取光走査手段、および信号取得手段を制御する制御手段とを備えた画像情報記録読取装置において、制御手段が、動画記録用電圧を、静止画記録用電圧よりも高くするように電圧印加手段を制御するものであることを特徴とするものである。
【００３０】
上記、第１および第２の画像情報記録読取装置においては、動画撮影と静止画撮影とで、異なる画素補正データにより画像補正を行う画像補正手段を備えることが好ましい。
【００３１】
また、動画撮影と静止画撮影とを交互に繰り返し行う場合に、静止画撮影により得られた電気信号に基づいて、動画像に対して静止画像の残像の影響を補正する残像補正手段を備えることが好ましい。この場合、残像補正手段は、動画撮影の継続時間に応じて、残像の補正の補正量を減少させるものであることがより好ましい。
【００３２】
【発明の効果】
本発明による画像情報記録読取方法および装置は、上記特許文献４に記載されているような、ポジ型かつショート読出しの系においても、動画撮影を行うことが可能な装置や、上記特許文献５に記載されているようなａ−Ｓｉ　ＴＦＴを用いた装置等において、静止画撮影においては、固定ノイズの影響を受けない必要十分な電圧を印加し、連続的に放射線（記録光）を照射しなければならない動画撮影の場合には、放射線（記録光）の強度を高くすることができないため、静止画撮影の場合よりも高い電圧を印加することにより、静止画撮影および動画撮影のいずれの場合においても、良好な画質の画像を得ることができる。
【００３３】
また、上記のように動画撮影と静止画撮影とで記録時に画像検出器に印加する電圧を変えると、画像検出器内の印加電界強度が変化して画素バラツキが変化するため、動画撮影と静止画撮影とで、異なる画素補正データにより画像補正を行うことにより、静止画撮影および動画撮影のいずれの場合においても、好適に画像を補正することができる。
【００３４】
さらに、一般に静止画撮影においては動画撮影よりも強い記録光を照射するので、画像検出器内に静止画像の残像が生じやすいため、動画撮影と静止画撮影とを交互に繰り返し行う場合に、静止画撮影により得られた電気信号に基づいて、動画像に対して静止画像の残像の影響を補正することにより、好適に動画像を補正することができる。この場合は、動画撮影の継続時間に応じて、残像の補正の補正量を減少させることにより、さらに好適に動画像を補正することができる。
【００３５】
【発明の実施の形態】
以下、図面を参照して本発明の実施の形態について詳細に説明する。図１は本発明による画像情報記録読取方法および装置を適用した放射線画像記録読取装置の概略図、図２は放射線画像記録読取装置の電流検出回路の概略図である。
【００３６】
図１および図２に示すように、この放射線画像記録読取装置１は、画像検出器としての放射線固体検出器（以下単に検出器とも言う）１０と、検出器１０に積層された面状光源３０と面状光源３０を制御する駆動手段としての光源制御手段４０とからなる読取光走査手段４９および検出器１０から潜像電荷を読み出す信号取得手段としての電流検出回路５０とを有する読取部２０と、記録光照射手段としての放射線照射部６０と、読取光走査手段４９、電流検出回路５０、および放射線照射部６０等を制御する制御手段７０とを備えている。
【００３７】
検出器１０は、被写体を透過した記録光（例えば、Ｘ線等；以下記録放射線という）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、第２電極層１５を介して読取光（読取用の電磁波）で読取用光導電層１４が走査されることにより該読取用光導電層１４内に電荷が発生し前記潜像電荷と電荷再結合して潜像電荷の量に応じた電流を発生するものである。第１電極層（導電体層）１１としてはＡｕを用い、記録用光導電層１２としては１ｍｍ厚のａ−Ｓｅを用い、読取用光導電層１４としては１０μｍ厚のａ−Ｓｅを用いる。読取用電極層としての第２電極層１５は、多数のＩＴＯ（Ｉｎｄｉｕｍ　Ｔｉｎ　Ｏｘｉｄｅ）製の線状電極（図中の斜線部）がストライプ状に配列されて成るものである。以下第２電極層１５の電極をストライプ電極１６といい、各線状電極をエレメント１６ａという。
【００３８】
面状光源３０は、導電層３１，ＥＬ層３２，導電層３３から成るＥＬ発光体であり、上述のように検出器１０に積層されている。ＥＬ層３２は、有機ＥＬおよび無機ＥＬのいずれであってもよい。検出器１０のストライプ電極１５と導電層３１との間には絶縁層３４が設けられている。導電層３１は、多数のエレメント（図中の斜線部）３１ａがストライプ状に配列されて成るものであり、各エレメント３１ａは、検出器１０のストライプ電極１６の各エレメント１６ａと交差（本例では略直交）するように配列されており、これにより、エレメント３１ａによるライン状の光源が面状に多数配列するように構成される。各エレメント３１ａは光源制御手段４０に接続されている。
【００３９】
光源制御手段４０は、エレメント３１ａとそれに対向する導電層３３との間に所定の電圧を印加するものであり、読取時にはエレメント３１ａに個別に電圧を印加し、前露光時には複数または全てのエレメント３１ａに同時に電圧を印加するものである。例えば、エレメント３１ａを順次切り替えながら、夫々のエレメント３１ａと導電層３３との間に所定の直流電圧を印加すると、エレメント３１ａと導電層３３とに挟まれたＥＬ層３２からＥＬ光が発せられ、エレメント３１ａを透過したＥＬ光はライン状の読取光（以下ライン光という）として利用される。すなわち、面状光源３０としては、ライン状の微小光源を面状に多数配列したものと等価となり、ストライプ電極１６の長手方向の一方の端から他方の端までの全部についてエレメント３１ａをストライプ電極１６の長手方向に順次切り替えてＥＬ発光させることにより、ライン光でストライプ電極１６の全面を電気的に走査することになる。なお、エレメント１６ａの長手方向が副走査方向に対応し、ライン光の延びる方向が主走査方向に対応する。
【００４０】
一方、複数または全てのエレメント３１ａに同時に電圧を印加すると、この電圧の印加によりＥＬ層３２からストライプ電極１６の全面に亘って略一様にＥＬ光が発せられ、このＥＬ光が前露光光として利用される。
【００４１】
つまり、面状光源３０は、読取光を発する光源としてだけでなく、前露光光を発する光源としても機能するように構成されている。
【００４２】
光源制御手段４０には、制御信号Ｃ１が入力されるようになっており、制御信号Ｃ１がＬ（ロー）のときには静止画用前露光光や動画用前露光光としてのＥＬ光を発する前露光モード、Ｈ（ハイ）のときには読取光としてのＥＬ光を発する読取光モードとなる。制御信号Ｃ１がハイインピーダンス状態のときには面状光源３０からはＥＬ光が発せられない。
【００４３】
電流検出回路５０は、ストライプ電極１６の各エレメント１６ａ毎に、反転入力端子に接続された電流検出アンプ５１を多数有している。この電流検出アンプ５１は、チャージアンプ５１ａと２チャネルのサンプルホールド回路５１ｂとからなり、相関２重サンプリングを行うように構成されている。
【００４４】
検出器１０の第１電極層１１はスイッチ５２の一方の入力、電源５３ａの負極および電源５３ｂの負極に接続されており、動画記録用電源５３ａの正極はスイッチ５２の他方の入力に接続されており、静止画記録用電源５３ｂの正極はスイッチ５２のさらに他方の入力に接続されている。スイッチ５２および電源５３とにより、本発明による電圧印加手段が構成される。本実施の形態では、動画記録用電源５３ａを３０ｋＶ電源、静止画記録用電源５３ｂを１０ｋＶ電源とする。
【００４５】
スイッチ５２の出力は各電流検出アンプ５１を構成するチャージアンプ５１ａの非反転入力端子に共通に接続されている。面状光源３０から読取光としてのライン光がストライプ電極１６側に照射（走査露光）されることにより、各電流検出アンプ５１は、各エレメント１６ａに流れる電流を、接続された各エレメント１６ａについて同時（並列的）に検出する。
【００４６】
なお、電流検出アンプ５１の構成の詳細については、上記以外にも周知の構成を種々適用することが可能である。電流検出アンプ５１の構成によっては、スイッチ５２および電源５３並びに各エレメント１６ａとの接続態様が上記とは異なるものとなるのは勿論である。
【００４７】
電流検出アンプ５１の出力はアナログマルチプレクサ８０に接続され、このアナログマルチプレクサ８０の出力はＡ／Ｄ変換器８１に入力されてデジタル信号化された後、画像補正手段８２に入力される。
【００４８】
画像補正手段８２は、スイッチ８２ａと、動画用画像補正手段８２ｂと、静止画用画像補正手段８２ｃとから構成される。アナログマルチプレクサ８０の出力はスイッチ８２の入力に接続されている。スイッチ８２の一方の出力は動画用画像補正テーブルに接続されており、スイッチ８２の他方の出力は静止画用画像補正テーブルに接続されている。動画用画像補正手段８２ｂの出力は、残像補正手段８３に接続されている。残像補正手段８３を介した動画用画像補正手段８２ｂの出力および静止画用画像補正手段８２ｃの出力はフレームメモリ８４に入力され画像化される。
【００４９】
放射線照射部６０は、放射線Ｒを発する放射線源６１、放射線源６１を駆動する電力を発生する高電圧発生器６２、高電圧発生器６２と接続された撮影をコントロールするスイッチ６３とからなる。スイッチ６３は、スイッチ６３ａ、６３ｂから成る２段スイッチとなっており、スイッチ６３ａがオンしなければスイッチ６３ｂはオンしないように構成されている。
【００５０】
制御手段７０には、動画／静止画モード設定のための信号Ｓ８が入力されるように構成されている。なお、後述する各種の作用が所定のタイミングで自動的に行われるようにするために、制御手段７０には、スイッチ６３ａ、６３ｂからの信号Ｓ１、Ｓ２と、高電圧発生器６２からのスタンバイ信号Ｓ４、記録放射線の照射終了を示す照射終了信号Ｓ５および設定された記録放射線の照射時間を示す信号Ｓ６と、光源制御手段４０からの前露光光の照射が終了したことを示す照射終了信号Ｓ７が夫々入力され、また制御手段７０からは、光源制御手段４０、スイッチ５２、高電圧発生器６２、電流検出回路５０、画像補正手段８２および残像補正手段８３に向けて、夫々対応する制御信号Ｃ１、Ｃ２、Ｃ３、Ｃ４、Ｃ５およびＣ６が出力されるようにするのが望ましい。
【００５１】
スイッチ５２は、制御信号Ｃ２がパターンＡのときにはスイッチを動画記録用電源５３ａ側に切り換え、検出器１０（詳しくは第１電極層１１の電極とストライプ電極１６との間）に動画記録用電源５３ａから動画記録用電圧を印加させる。また、制御信号Ｃ２がパターンＢのときにはスイッチを静止画記録用電源５３ｂ側に切り換え、検出器１０に静止画記録用電源５３ａから静止画記録用電圧を印加させる。また、制御信号Ｃ２がパターンＣのときには、スイッチを第１電極層１１側に切り換え、電流検出アンプ５１を構成するチャージアンプのイマジナリーショートを介して第１電極層１１の電極とストライプ電極１６とが実質的にショートさせ、両電極を同電位にさせる。さらに、制御信号Ｃ２がハイインピーダンス状態のときにはスイッチを中点に設定し、動画記録用電源５３ａおよび静止画記録用電源５３ｂの正極をフローティング状態とすることにより、検出器１０への電圧印加、および両電極のショートを行わない。
【００５２】
高電圧発生器６２は、制御信号Ｃ３としてＨが入力されたときには高圧ＨＶを放射線源６１に供給し、放射線源６１から放射線Ｒを発生させる。
【００５３】
画像補正手段８２のスイッチ８２ａは、制御信号Ｃ５としてＨが入力されたときにはスイッチを動画用画像補正手段８２ｂ側に切り換え、制御信号Ｃ５としてＬが入力されたときにはスイッチを静止画用画像補正手段８２ｃ側に切り換える。
【００５４】
残像補正手段８３は、制御信号Ｃ６としてＨが入力されたときには入力された動画信号に対して残像補正処理を行い、制御信号Ｃ６としてＬが入力されたときには入力された動画信号に対して残像補正処理を行わないで通過させる。
【００５５】
以下、上記構成の放射線画像撮影読取装置１の作用について、図４に示すタイミングチャートを参照して説明する。なお、タイミングチャートにおいて、ハイレベル期間が、検出器に電圧が印加されたり光（前露光光、記録放射線、読取光）が照射されるアクティブな期間であり、ローレベル期間（基準レベル期間）がその反対のインアクティブな期間である。
【００５６】
本実施の形態の放射線画像撮影読取装置１は、記録放射線Ｑを連続状に記録用光導電層１２に照射した状態で読取用光導電層１４へのライン光の走査を繰り返し行い（動画モード）、その後、空読みを行った（空読みモード）後に静電潜像の記録を行い（静止画モード）、以後、動画モード、空読みモード、静止画モードの順で繰り返すものである。
【００５７】
動画モードを示す信号Ｓ８が制御手段７０に入力されたときには、動画用前露光光の照射開始を制御する動画用前露光開始制御に際して、先ず検出器１０内の読取用光導電層１４で発生した電荷を蓄電部１９に蓄積させることができるように、制御手段７０はスイッチ５２に入力される制御信号Ｃ２をパターンＡにしてスイッチ５２のスイッチを動画記録用電源５３ａ側に切り換えて第１電極層１１の電極とストライプ電極１６との間に動画記録用源５３ａから動画記録用電圧として３０ｋＶの直流電圧を印加して、両電極１１、１６を帯電させる。
【００５８】
次に、光源制御手段４０に入力される制御信号Ｃ１をＬ（動画用前露光モード）にして、面状光源３０に動画用前露光光としてのＥＬ光を発光させて、読取用光導電層１４の全面に動画用前露光光を照射させる。すると、検出器１０の読取用光導電層１４内で、動画用前露光光による光導電効果により光量に応じて正負の電荷対が発生し、その内の正電荷が所定の電界分布に沿って記録用光導電層１２と電荷輸送層１３との界面である蓄電部１９に蓄積される一方、光導電層１４に生じた負電荷は動画記録用電源５３ａからストライプ電極１６に注入される正電荷と電荷再結合し消滅する。この蓄電部１９に蓄積される正電荷は、後述する静止画モード時に蓄積される電荷とは反対極性のものである。また、蓄電部１９に蓄積される蓄積電荷量は、動画用前露光光の光量に応じたものであり、ここでは読取用光導電層１４の全面に亘って略一様にＥＬ光が発せられるので、略一様な電荷が蓄電部１９に蓄積される。これにより、検出器１０への一次帯電が完了する。
【００５９】
なお、動画記録用電圧の印加開始と動画用前露光光の照射開始とは、この例に限らず、上記とは逆に、両者が相前後した態様であってもかまわない。
【００６０】
次に、この一次帯電を停止するべく、光源制御手段４０に入力される制御信号Ｃ１をハイインピーダンス状態として、面状光源３０からのＥＬ光の発光を停止させる。
【００６１】
このようにして動画用前露光光の照射を停止した後、第１電極層１１の電極とストライプ電極１６との間に動画記録用電圧を印加した状態のままで、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを検出器１０の記録用光導電層１２に照射する。なお、動画モード全体の総線量が許容被爆線量を越えないように、１画像（フレーム）当たりの線量を少なくする。
【００６２】
記録放射線Ｑの照射により、記録用光導電層１２内で、記録放射線Ｑによる光導電効果により線量に応じて正負の電荷対が発生し、その内の負電荷がストライプ電極１６の各エレメント１６ａによる所定の電界分布に沿って集中せしめられ、記録用光導電層１２と電荷輸送層１３との界面である蓄電部１９まで移動する。蓄電部１９には前述の一次帯電によって所定量の正電荷が蓄積されているので、移動してきた負電荷は正電荷と電荷再結合し消滅（放電）する。一方、記録用光導電層１２内で発生する正電荷は第１電極層１１に引き寄せられて、動画記録用電源５３ａから注入された負電荷と電荷再結合し消滅する。
【００６３】
動画モードにおいて検出器１０から静電潜像を読み取る際には、第１電極層１１の電極とストライプ電極１６との間に動画記録用電圧を印加しかつ記録放射線Ｑを検出器１０に照射した状態のままで、制御信号Ｃ１をＨ（読取光モード）にして、光源制御手段４０により、エレメント３１ａを順次切り替えながら、夫々のエレメント３１ａと導電層３３との間に所定の直流電圧を印加して、ＥＬ層３２から発せられるライン光で読取用光導電層１４の全面を電気的に走査する。
【００６４】
このライン光による走査により副走査位置に対応するライン光が入射した光導電層１４内に正負の電荷対が発生し、その内の正電荷が電荷輸送層１３を通り蓄電部１９まで移動して、記録放射線Ｑにより消滅した正電荷を補うようになる。
【００６５】
一方、読取用光導電層１４に生じた負電荷は動画記録用電源５３ａからストライプ電極１６に注入される正電荷と電荷再結合し消滅する。
【００６６】
記録用光導電層１２には記録放射線Ｑが照射されており、電気的走査におけるライン光の照射が終了した部分では、このライン光の照射により充電した正電荷が放射線Ｑの線量に応じて再び消滅（放電）される。そして、放電された電荷量は次のライン光の走査により再びそれと同量だけ再充電される。即ち放電電荷の総量は次の走査時の充電電荷の総和に等しく、これを繰り返すようになる。各エレメント１６ａには電流検出アンプ５１が接続されおり、ライン光の走査毎に充電電荷の量を電圧信号に変換して検出する。
【００６７】
ここで、蓄電部１９で消滅する正電荷の量は照射放射線量に略比例し、ライン光の走査時にはこの消滅した正電荷の量を補うように充電されるので、記録放射線Ｑの照射により消滅する正電荷の量が動画モードにおける画像を担持し、これを繰り返すことにより、動画像を再生することができるようになる。
【００６８】
さらに、動画像を再生する際の画質を向上させるため、画像補正手段８２のスイッチ８２ａに入力される制御信号Ｃ５をＨとして、動画信号を動画用画像補正手段８２ｂに入力させ、動画用画像補正テーブルにより画像補正させる。
【００６９】
動画信号に対しては画像補正の後に残像補正を行うが、最初の動画モードにおいては、静止画モードにおける撮影の際に生じる残像が無いため、残像補正手段８３に入力される制御信号Ｃ６をＬとして、動画信号をそのまま通過させる。２巡目以降の動画モードの場合は、残像補正手段８３に入力される制御信号Ｃ６をＨとして、動画信号に対して直前の静止画モードの際に得られた静止画信号に基づいて残像補正を行う。上記残像は時間の経過に応じて熱励起により減少するため、残像補正を行う際は、動画撮影の継続時間に応じて残像補正の補正量を減少させることによって、好適な残像補正を行うことができる。
【００７０】
画像補正手段８２および残像補正手段８３により画像処理された動画信号は、フレームメモリ８４に入力され動画像が構成される。
【００７１】
この動画モードにおけるプロセスは、ＴＶ撮像管がその光電面に結像された光学像を潜像として蓄積し、その潜像を電子ビーム走査によって読み出す場合と同様であり、ライン光が同じ走査位置をよぎるまでの期間が１フレーム分Ｔｆに相当する。
【００７２】
なお、上述の説明から判るように、記録放射線Ｑの照射に先立って動画用前露光光を照射しておくのは、１枚目（第１フレーム目）の画像を適正かつ確実に再生することができるようにするためであり、これを必要としない場合には、動画用前露光光の照射を行わなくてもよい。
【００７３】
動画モードを終了した後、空読みと静電潜像の記録を引き続き行う。具体的には以下のようにする。
【００７４】
空読み用の前露光光の照射開始を制御する前露光開始制御に際して、先ず、制御手段７０はスイッチ５２に入力される制御信号Ｃ２をパターンＣとする。これによりスイッチ５２が第１電極層１１側に切り換えられ、第１電極層１１の電極とストライプ電極１６とが実質的にショートされ、両電極が同電位にされる。次に、光源制御手段４０に入力される制御信号Ｃ１をＬ（前露光モード）にして、面状光源３０に前露光光としてのＥＬ光を発光させて、読取用光導電層１４に前露光光を照射する空読みを行わさせる。
【００７５】
次に、この空読みを停止するべく、光源制御手段４０に入力される制御信号Ｃ１をハイインピーダンス状態として、面状光源３０からのＥＬ光の発光を停止させる。
【００７６】
このようにして空読みを停止した後、第１電極層１１の電極とストライプ電極１６との間に静止画記録用電圧を印加した状態で第１電極層１１に記録用の放射線Ｑを照射して、検出器１０に静電潜像の記録を行う。具体的には、先ず検出器１０内の記録用光導電層１２で発生した電荷を蓄電部１９に蓄積させることができるように、制御手段７０はスイッチ５２に入力される制御信号Ｃ２をパターンＢにしてスイッチ５２のスイッチを静止画記録用電源５３ｂ側に切り換えて第１電極層１１の電極とストライプ電極１６との間に静止画記録用電源５３ｂから静止画記録用電圧として１０ｋＶの直流電圧を印加して、両電極１１、１６を帯電させる。
【００７７】
ここで、静止画記録用電圧が動画記録用電圧よりも低くしているのは、記録用電圧が低い程検出器内への電荷注入等の発生により生じる画像欠陥を少なくすることができ、また、静止画撮影の場合は、動画撮影の場合よりも放射線強度を高くすることができるため、静止画記録用電圧を低くしても動画像の画質と比較して同等以上の画質とすることができるためである。
【００７８】
なお、静止画記録用電圧の印加は、前露光光の光導電層への照射が完全に停止した後に限らず、前露光光の照射と静止画記録用電圧の印加とが多少オーバーラップしてもかまわない。
【００７９】
この静止画記録用電圧の印加の後、高電圧発生器６２から高圧ＨＶを放射線源６１に供給させ、放射線源６１から放射線Ｒを照射させる。この放射線Ｒを被写体６５に爆射し、被写体６５を透過した被写体６５の放射線画像情報を担持する記録放射線Ｑを設定された照射時間だけ記録用光導電層１２に照射する。すると、記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像（静止画）を担持することとなる。一方、記録用光導電層１２内で発生する正電荷は第１電極層１１に引き寄せられて、静止画記録用電源５３ｂから注入された負電荷と電荷再結合し消滅する。
【００８０】
次に、検出器１０から静電潜像を読み取る際には、先ず制御信号Ｃ１をＨ（読取光モード）にし、スイッチ５２を検出器１０の第１電極層１１側に接続して、光源制御手段４０により、エレメント３１ａを順次切り替えながら、夫々のエレメント３１ａと導電層３３との間に所定の直流電圧を印加して、ＥＬ層３２から発せられるライン光で読取用光導電層１４の全面を電気的に走査する。
【００８１】
このライン光による走査により副走査位置に対応するライン光が入射した読取用光導電層１４内に正負の電荷対が発生し、その内の正電荷が蓄電部１９に蓄積された負電荷（潜像電荷）に引きつけられるように電荷輸送層１３内を急速に移動し、蓄電部１９で潜像電荷と電荷再結合し消滅する。一方、読取用光導電層１４に生じた負電荷は静止画記録用電源５３ｂからストライプ電極１６に注入される正電荷と電荷再結合し消滅する。このようにして、検出器１０の蓄電部１９に蓄積されていた負電荷が電荷再結合により消滅し、この電荷再結合の際の電荷の移動による電流が検出器１０内に生じる。この電流を各エレメント１６ａ毎に接続された各電流検出アンプ５１が同時に検出する。読取りの際に検出器１０内を流れる電流は、潜像電荷すなわち静電潜像に応じたものであるから、この電流を検出することにより静電潜像を読み取る、すなわち静電潜像（静止画）を表す画像信号を取得することができる。
【００８２】
さらに、静止画像を再生する際の画質を向上させるため、画像補正手段８２のスイッチ８２ａに入力される制御信号Ｃ５をＬとして、静止画信号を静止画用画像補正手段８２ｃに入力させ、静止画用画像補正テーブルにより画像補正させる。画像補正手段８２により画像処理された静止画信号は、フレームメモリ８４に入力され静止画像が構成される。
【００８３】
静止画モードを終了した後は再度動画モードに移行し、以後、動画モード、空読みモード、静止画モードの順で繰り返す。
【００８４】
このように、本発明による画像情報記録読取方法を適用した装置１によれば、静止画撮影においては、固定ノイズの影響を受けない必要十分な電圧を印加し、連続的に放射線を照射しなければならない動画撮影の場合には、静止画撮影の場合よりも高い電圧を印加することにより、静止画撮影および動画撮影のいずれの場合においても、良好な画質の画像を得ることができる。
【００８５】
なお、上記実施の形態においては、後述する図５および図６に示すタイミングの態様とは異なり、読取光の照射タイミングを記録放射線や前露光光の照射タイミングと同期を取る必要がないので制御が簡単になるというメリットがある。一方、読取光による１画面分の走査の時間（例えば１００ｍｓ程度）だけ記録放射線像が蓄積されるため、時間的にブレた（なまった）動画像になる。
【００８６】
次に、本発明による画像情報記録読取方法および装置を適用した放射線画像記録読取装置の第２の実施の形態について説明する。本実施の形態は上記第１の実施の形態と比較して、装置の動作のタイミングを変更したものである。図５および図６は、本実施の形態の装置の動作のタイミングを説明するタイミングチャートである。
【００８７】
上述した第１の実施の形態の装置の動作タイミングは、動画モード時に、記録放射線Ｑを連続状に記録用光導電層１２に照射した状態で読取用光導電層１４へのライン光の走査を繰り返すようにしたものであるが、本実施の形態の装置の動作タイミングは、記録放射線Ｑを連続パルス状に照射しながら、これと同期してライン光の走査を繰り返すようにしたものである。
【００８８】
つまり、図５に示すように、記録放射線Ｑの記録用光導電層１２への照射を停止した後にライン光による１画面分の走査を行い、この１画面分の走査が終了した後に記録放射線Ｑの記録用光導電層１２への照射を行い、これを繰り返すものである。
【００８９】
第１の実施の形態の装置の動作タイミングでは、電気的走査におけるライン光の照射が終了した部分では、このライン光の照射により充電した正電荷が放射線Ｑの線量に応じてすぐに消滅（放電）されるが、本実施の形態の装置の動作タイミングでは、ライン光による１画面分の全走査が終了した後に再放電される点が異なる。
【００９０】
なお、このとき、図６に示すように、記録放射線Ｑの照射およびライン光の走査を交互に繰り返すだけでなく、記録放射線Ｑの照射に先立って前露光光の照射を毎回行うようにしてもよい。
【００９１】
本実施の形態の装置の動作タイミングにおいては、読取光と記録放射線あるいは前露光光の照射を同期をとって行う必要があるが、記録放射線をパルス状に照射した後直ちにその分の蓄積画像を読み取ることとなるので、像ブレのないシャープな動画像を得ることができる。また、図６のように前露光光の照射とも同期を取るようにすれば、毎回確実に初期化することになるので、図５の場合よりもさらに高画質となる。
【００９２】
以上、本発明による画像情報記録読取方法および装置を適用した放射線画像記録読取装置について説明したが、本発明は上記実施の形態に限定されるものではない。
【００９３】
例えば、上述した電気的走査による面状光源３０は、ＥＬ発光体からなるものとして説明したが、これに限らず、点状あるいはライン状の微小ＬＥＤを２次元状に配列して形成したもの等であってもかまわない。
【００９４】
また、一次帯電または空読みのための前露光光用や読取光用の光源は、必ずしも上述した電気的走査による面状光源３０のみに限定されるものではなく、例えば、光ビームによって２次元状に走査（機械的走査）を行うものであってもよい。このとき、光ビームで１次元状に走査しながら、画像検出器を光源に対して相対的に移動させて、実質的に２次元状に走査するものとしてもよい。
【００９５】
また、上記実施の形態では、記録光の照射方向と前露光光や読取光の照射方向とは反対方向であるものとして説明したが、これらは同一方向であってもよい。この場合、記録用光導電層は記録光に対してのみ感応し、読取用光導電層は前露光光や読取光に対してのみ感応するものとする。
【００９６】
また、記録光は記録用光導電層を感応させることができるものであればよく、放射線に限らず可視光、赤外光、紫外光等、その他の電磁波を適用できる。同様に、読取光は読取用光導電層を感応させることができるものであればよく、可視光、赤外光、紫外光等、その他の電磁波を適用できる。
【００９７】
さらに、記録光としての放射線を受けて蛍光を発する蛍光体シートを第１電極層に貼り付ける等してもよい。この場合、記録用光導電層は、蛍光に感応するものであればよく、放射線に感応するものでなくともよい。
【００９８】
なお、第１電極層や第２電極層は、実施の形態に応じて、記録光、前露光光、あるいは読取光に対して、透過性を有するものとするのはいうまでもない。
【００９９】
また、上記実施の形態では、記録光（記録放射線）の照射に先立つ一次帯電を、前露光光を読取用光導電層に照射することにより行うものとして説明したが、これに限らず、印加電圧の極性を反転すると共に、記録光を一次帯電用として記録用光導電層に照射することにより行ってもよい。
【０１００】
なお、本発明に使用される画像検出器は、本実施の形態で説明したもの以外にも、例えば上記特許文献１や特許文献２等に記載のように、第１電極層、記録用光導電層、読取用光導電層および第２電極層をこの順に有すると共に、第１電極層と２電極層との間に蓄電部が形成されて成る光読出方式のもので、かつポジ型のものにおいて、蓄電部を形成するために、さらに他の層（トラップ層、絶縁層等）や微小導電部材（マイクロプレート）を積層して成るものや、また、上記特許文献５に記載されているようなａ−Ｓｉ　ＴＦＴ上にａ−Ｓｅ光導電層を形成した構造の放射線検出器等を用いることもできる。
【図面の簡単な説明】
【図１】本発明による画像情報記録読取方法および装置を適用した、放射線画像記録読取装置の概略図
【図２】上記放射線画像記録読取装置の電流検出回路の概略図
【図３】記録光強度および記録時の画像検出器内の電界強度（印加電圧）と、撮影により得られる信号量との関係を示すグラフ
【図４】本発明を適用した放射線画像記録読取装置の第１の作用を説明するタイミングチャート
【図５】本発明を適用した放射線画像記録読取装置の第２の作用を説明するタイミングチャート
【図６】第２の作用の変更態様を説明するタイミングチャート
【符号の説明】
１　　放射線画像記録読取装置
１０　放射線固体検出器（画像検出器）
２０　読取部
３０　面状光源（読取光や前露光光用の光源として機能）
４０　光源制御手段
５０　電流検出回路（信号取得手段）
６０　放射線照射部
７０　制御手段
【図１】
2004108879.tif 000003
【図２】
2004108879.tif 000004
【図３】
2004108879.tif 000005
【図４】
2004108879.tif 000006
【図５】
2004108879.tif 000007
【図６】
2004108879.tif 000008